(57)【要約】【課題】この発明は、常時録画中でかつタイムシフト再生中に通常録画開始指令が入力された場合に、通常録画開始指令が入力された時点でのタイムシフト再生位置から通常録画停止指令が入力されるまでの入力データを単一のファイルで保存できるとともに、上記通常録画開始指令入力後も常時録画および常時録画に対するタイムシフト再生が可能となる記録再生装置を提供することを目的とする。【解決手段】常時録画中でかつタイムシフト再生中に通常録画開始指令が入力されたときには、常時録画を継続するとともに、常時録画エリア内の通常録画開始指令入力時のタイムシフト再生位置から通常録画停止指令が入力された時点での常時録画エリアの記録ポイントまでのデータを通常録画エリアに転送する機能を備えている。【選択図】  図１
2005032298.tif 000002
【特許請求の範囲】
【請求項１】
常時録画中でかつタイムシフト再生中に通常録画開始指令が入力されたときには、常時録画を継続するとともに、常時録画エリア内の通常録画開始指令入力時のタイムシフト再生位置から、通常録画エリアへのデータ転送を開始させる第１手段、
第１手段による転送が行われている場合に、通常録画停止指令が入力されたときには、通常録画停止指令が入力された時点での常時録画エリアの記録ポイントまでのデータが、通常録画エリアに転送されているか否かを判別する第２手段、
通常録画停止指令が入力された時点での常時録画エリアの記録ポイントまでのデータが通常録画エリアに転送されていないと第２手段によって判別された場合には、通常録画停止指令が入力された時点での常時録画エリアの記録ポイントまでのデータが通常録画エリアに転送された後に、データ転送を停止させる第３手段、ならびに
通常録画停止指令が入力された時点での常時録画エリアの記録ポイントまでのデータが通常録画エリアに転送されていると第２手段によって判別された場合には、データ転送を停止させる第４手段、
を備えていることを特徴とする記録再生装置。
【請求項２】
常時録画中に通常録画開始指令が入力されたときには、常時録画を継続するとともに、常時録画エリアにおけるデータ転送開始位置を指定させるための入力手段、
入力手段によって指定された常時録画エリアにおけるデータ転送開始位置から、通常録画エリアへのデータ転送を開始させる第１手段、
第１手段による転送が行われている場合に、通常録画停止指令が入力されたときには、通常録画停止指令が入力された時点での常時録画エリアの記録ポイントまでのデータが、通常録画エリアに転送されているか否かを判別する第２手段、
通常録画停止指令が入力された時点での常時録画エリアの記録ポイントまでのデータが通常録画エリアに転送されていないと第２手段によって判別された場合には、通常録画停止指令が入力された時点での常時録画エリアの記録ポイントまでのデータが通常録画エリアに転送された後に、データ転送を停止させる第３手段、ならびに
通常録画停止指令が入力された時点での常時録画エリアの記録ポイントまでのデータが通常録画エリアに転送されていると第２手段によって判別された場合には、データ転送を停止させる第４手段、
を備えていることを特徴とする記録再生装置。
【発明の詳細な説明】
【０００１】
【発明の属する技術分野】
この発明は、ＨＤＤレコーダ、ＤＶＤレコーダ等の記録再生装置に関する。
【０００２】
【従来の技術】
ＨＤＤレコーダとして、リングバッファを用いて常時録画を行う機能および常時録画している映像・音声データを記録アドレスと同じまたは異なるアドレスから再生させるタイムシフト再生機能を備えたものがある。
【０００３】
この種のＨＤＤレコーダとして、常時録画中でかつタイムシフト再生中に通常録画が開始されると、常時録画動作とタイムシフト再生動作を停止させ、その時点からリアルタイムで通常録画を開始させるとともに、それまでの常時録画による記録データを別途保存するか否かをユーザに選択させ、保存することが選択された場合にはそれまでの常時録画による記録データを別途保存させるようにしたものが開発されている（以下、第１従来例という）。
【０００４】
また、常時録画中でかつタイムシフト再生中に通常録画が開始されると、常時録画動作とタイムシフト再生動作を停止させ、その時点からリアルタイムで通常録画を開始させ、通常録画終了後に、上記通常録画前の常時録画による記録データと、その後の通常録画による記録データとを自動的に結合して１つのファイルとする機能を備えたＨＤＤレコーダも開発されている（以下、第２従来例という、特願２００２−１００１５４号参照）。
【０００５】
また、常時録画中でかつタイムシフト再生中に通常録画が開始されると、常時録画動作とタイムシフト再生動作を停止して、通常録画を開始するとともに、タイムシフト再生の再生位置から通常録画の開始位置までの常時録画による記録データを、自動的に通常録画領域にコピーする機能を備えたＨＤＤレコーダも開発されている（以下、第３従来例という、特開２００２−１４２１７７号公報参照）。
【０００６】
【特許文献】特開２００２−１４２１７７号公報
【０００７】
【発明が解決しようとする課題】
上記第１従来例では、常時録画による記録データと、その後の通常録画による記録データとが、それぞれ別ファイルに別れて保存されてしまう。
【０００８】
上記第２従来例および上記第３従来では、常時録画による記録データとその後の通常録画による記録データとを１つのファイルとして保存することが可能であるが、通常録画が開始されると常時録画動作を停止するため、常時録画に対するタイムシフト再生ができないという問題がある。
【０００９】
この発明は、常時録画中でかつタイムシフト再生中に通常録画開始指令が入力された場合に、通常録画開始指令が入力された時点でのタイムシフト再生位置から通常録画停止指令が入力されるまでの入力データを単一のファイルで保存できるとともに、上記通常録画開始指令入力後も常時録画および常時録画に対するタイムシフト再生が可能となる記録再生装置を提供することを目的とする。
【００１０】
また、この発明は、常時録画中に通常録画開始指令が入力された場合に、ユーザが指定した位置から通常録画停止指令が入力されるまでの入力データを単一のファイルで保存できるとともに、上記通常録画開始指令入力後も常時録画および常時録画に対するタイムシフト再生が可能となる記録再生装置を提供することを目的とする。
【００１１】
【課題を解決するための手段】
請求項１に記載の発明は、常時録画中でかつタイムシフト再生中に通常録画開始指令が入力されたときには、常時録画を継続するとともに、常時録画エリア内の通常録画開始指令入力時のタイムシフト再生位置から、通常録画エリアへのデータ転送を開始させる第１手段、第１手段による転送が行われている場合に、通常録画停止指令が入力されたときには、通常録画停止指令が入力された時点での常時録画エリアの記録ポイントまでのデータが、通常録画エリアに転送されているか否かを判別する第２手段、通常録画停止指令が入力された時点での常時録画エリアの記録ポイントまでのデータが通常録画エリアに転送されていないと第２手段によって判別された場合には、通常録画停止指令が入力された時点での常時録画エリアの記録ポイントまでのデータが通常録画エリアに転送された後に、データ転送を停止させる第３手段、ならびに通常録画停止指令が入力された時点での常時録画エリアの記録ポイントまでのデータが通常録画エリアに転送されていると第２手段によって判別された場合には、データ転送を停止させる第４手段を備えていることを特徴とする。
【００１２】
請求項２に記載の発明は、常時録画中に通常録画開始指令が入力されたときには、常時録画を継続するとともに、常時録画エリアにおけるデータ転送開始位置を指定させるための入力手段、入力手段によって指定された常時録画エリアにおけるデータ転送開始位置から、通常録画エリアへのデータ転送を開始させる第１手段、第１手段による転送が行われている場合に、通常録画停止指令が入力されたときには、通常録画停止指令が入力された時点での常時録画エリアの記録ポイントまでのデータが、通常録画エリアに転送されているか否かを判別する第２手段、通常録画停止指令が入力された時点での常時録画エリアの記録ポイントまでのデータが通常録画エリアに転送されていないと第２手段によって判別された場合には、通常録画停止指令が入力された時点での常時録画エリアの記録ポイントまでのデータが通常録画エリアに転送された後に、データ転送を停止させる第３手段、ならびに通常録画停止指令が入力された時点での常時録画エリアの記録ポイントまでのデータが通常録画エリアに転送されていると第２手段によって判別された場合には、データ転送を停止させる第４手段を備えていることを特徴とする。
【００１３】
【発明の実施の形態】
以下、図面を参照して、この発明の実施の形態について説明する。
【００１４】
〔１〕第１の実施の形態の説明
【００１５】
図１は、記録再生装置の概略的な構成を示している。
【００１６】
記録再生装置は、アンテナ１、チューナ２、外部入力端子３、スイッチ４、スイッチ５、ＭＰＥＧエンコーダ６、ＨＤＤ７、ＭＰＥＧデコーダ８、スイッチ９、ＣＰＵ１０、操作パネル１１を備えている。
【００１７】
スイッチ４は、チューナ２からの入力信号と外部入力端子３からの入力信号とを切り替えるものである。
【００１８】
スイッチ５の切り替えモードには、入力信号をＨＤＤ７に記録するためにＭＰＥＧデコーダ８のみに送る第１切り替えモード、入力信号を録画することなしに、テレビモニタ１２にそのまま（オンエアで）出力するためにスイッチ９のみに送る第２切り替えモード、入力信号をスイッチ９およびＭＰＥＧデコーダ８の両方に送る第３切り替えモードがある。
【００１９】
スイッチ９は、スイッチ５を介して送られてきた信号またはＭＰＥＧデコーダ８から送られてきた信号を選択してテレビモニタ１２に出力するものである。
【００２０】
ＭＰＥＧエンコーダ６は、スイッチ４、５を介して入力された入力信号をエンコードするものであり、ＭＰＥＧエンコーダ６によってエンコードされたデータはＨＤＤ７に記録される。
【００２１】
ＭＰＥＧデコーダ８は、ＨＤＤ７から読み出されたデータをデコードするものであり、ＭＰＥＧデコーダ８によってデコードされた信号は、スイッチ９を介してテレビモニタ１２に出力される。
【００２２】
ＨＤＤ７内には、常時録画時にデータが記録される常時録画エリアと、通常録画のためのデータを記録する通常録画エリアとがある。常時録画エリアは、リングバッファを構成しており、常時録画データが満杯になると、古いデータが新しいデータによって順次上書きされることにより消去されていく。
【００２３】
この記録再生装置は、ＨＤＤ７内の常時録画エリアを用いて常時録画を行う機能および常時録画しているデータを記録アドレスと同じまたは異なるアドレスから再生させるタイムシフト再生機能を備えている。
【００２４】
また、この記録再生装置は、常時録画中でかつタイムシフト再生中に通常録画開始指令が入力されたときには、常時録画動作を継続させるとともに、常時録画エリア内の通常録画開始指令入力時のタイムシフト再生位置から通常録画停止指令が入力された時点での常時録画エリアの記録ポイントまでのデータを通常録画エリアに転送する機能を備えている。以下、図２を用いて、この機能について説明する。
【００２５】
今、常時録画中でかつタイムシフト再生中であるとする。図２（ａ）に、常時録画エリアに対する記録ポイントと再生ポイントを示す。
【００２６】
この状態で、通常録画開始指令が入力されると、常時録画動作およびタイムシフト再生動作は、そのまま続行させる。そして、図２（ｂ）に示すように、通常録画開始指令が入力された時点での常時録画エリアの再生ポイントから、常時録画エリアに記録されているデータの通常録画エリアへの転送を開始する。
【００２７】
これにより、図２（ｃ）に示すように、通常録画エリアに常時録画エリア内のデータが転送されていく。そして、図２（ｄ）に示すように、常時録画エリアにおける通常録画エリアへのデータ転送位置が、常時録画の現在の記録ポイントに追いつく。この後も、記録ポイントが移動するに伴って、通常録画エリアに常時録画エリア内のデータが転送されていく。
【００２８】
そして、通常録画停止指令が入力されると、常時録画エリアから通常録画エリアへのデータ転送が停止せしめられる。これにより、図２（ｅ）に示すように、通常録画開始指令が入力された時点での常時録画エリアの再生ポイントから通常録画停止指令が入力された時点での常時録画エリアの記録ポイントまでの常時録画エリア内のデータが、通常録画エリアに転送されることになる。
【００２９】
図３は、通常録画開始指令が入力されたときの処理手順を示している。
【００３０】
ＲＥＣキーが押されると、つまり、通常録画開始指令が入力されると（ステップ１）、常時録画中か否かを判別する（ステップ２）。
【００３１】
常時録画中でなければ、通常録画を開始させる（ステップ３）。つまり、ＭＰＥＧエンコーダ６によってエンコーダされたデータを通常録画エリアに記録していく。そして、録画停止操作が行われると（ステップ４）、通常録画を停止する（ステップ５）。
【００３２】
上記ステップ２で、常時録画中であると判別した場合には、タイムシフト再生中であるか否かを判別する（ステップ６）。タイムシフト再生中でなければ、常時録画を停止させた後（ステップ７）、通常録画を開始させる（ステップ８）。つまり、ＭＰＥＧエンコーダ６によってエンコーダされたデータを通常録画エリアに記録していく。そして、録画停止操作が行われると（ステップ９）、通常録画を停止させた後（ステップ１０）、常時録画を開始させる（ステップ１１）。
【００３３】
上記ステップ６において、タイムシフト再生中であると判別された場合には、常時録画エリアの現在の再生ポイント（タイムシフト再生位置）から、常時録画エリア内のデータの通常録画エリアへの転送（コピー）を開始する（ステップ１２）。なお、この場合には、常時録画動作およびタイムシフト再生動作は継続させる。
【００３４】
この後、通常録画停止操作が行われると（通常録画停止指令が入力されると）（ステップ１３）、常時録画エリアにおける通常録画エリアへのデータ転送位置が、常時録画エリアにおける通常録画停止指令が入力された時点での記録ポイントに追いついているか否かを判別する（ステップ１４）。追いついている場合には、データ転送を停止する（ステップ１５）。追いついていない場合には、追いつくのを待ってから（ステップ１４）、データ転送を停止する（ステップ１５）。
【００３５】
〔２〕第２の実施の形態の説明
【００３６】
記録再生装置の構成は、第１の実施の形態と同じである。
【００３７】
第２の実施の形態による記録再生装置は、ＨＤＤ７内の常時録画エリアを用いて常時録画を行う機能および常時録画しているデータを記録アドレスと同じまたは異なるアドレスから再生させるタイムシフト再生機能を備えている。
【００３８】
また、この記録再生装置は、常時録画中に通常録画開始指令が入力されたときには、常時録画を継続するとともに、ユーザによってデータ転送開始位置を指定させ、ユーザによって指定された常時録画エリア内のデータ転送開始位置から通常録画停止指令が入力された時点での常時録画エリアの記録ポイントまでのデータを通常録画エリアに転送する機能を備えている。
【００３９】
図４は、通常録画開始指令が入力されたときの処理手順を示している。
【００４０】
ＲＥＣキーが押されると、つまり、通常録画開始指令が入力されると（ステップ２１）、常時録画中か否かを判別する（ステップ２２）。
【００４１】
常時録画中でなければ、通常録画を開始させる（ステップ２３）。つまり、ＭＰＥＧエンコーダ６によってエンコーダされたデータを通常録画エリアに記録していく。そして、録画停止操作が行われると（ステップ２４）、通常録画を停止する（ステップ２５）。
【００４２】
上記ステップ２２で、常時録画中であると判別した場合には、ユーザに常時録画エリアから通常録画エリアへのデータ転送開始位置（実質的な通常記録開始位置）を指定させるための処理（データ転送開始位置指定処理）を行う（ステップ２６）。この処理は、ＲＥＣキーが押された時点での常時録画エリアの記録ポイントから、何分前というように、データ転送開始位置を指定させるための処理である。この処理の詳細については後述する。
【００４３】
そして、データ転送開始位置指定処理によってデータ転送開始位置が指定されると、常時録画エリアにおける指定されたデータ転送開始位置から、通常録画エリアへの転送（コピー）を開始する（ステップ２７）。なお、この場合には、常時録画動作は継続させる。また、タイムシフト再生が行われている場合には、タイムシフト再生動作も継続させる。
【００４４】
この後、通常録画停止操作が行われると（通常録画停止指令が入力されると）（ステップ２８）、常時録画エリアにおける通常録画エリアへのデータ転送位置が、常時録画エリアにおける通常録画停止指令が入力された時点での記録ポイントに追いついているか否かを判別する（ステップ２９）。追いついている場合には、データ転送を停止する（ステップ３０）。追いついていない場合には、追いつくのを待ってから（ステップ２９）、データ転送を停止する（ステップ３０）。
【００４５】
図５は、データ転送開始位置指定処理（図４のステップ２６の処理）の詳細な手順を示している。
【００４６】
まず、データ転送開始位置を入力させるための、ポップアップ画面を表示させる（ステップ４１）。この画面には、例えば、データ転送開始位置をテンキーで指定して下さいというようなメッセージが表示される。ユーザは、操作パネル１１上のテンキーを用いて、ＲＥＣキーが押された時点での常時録画エリアの記録ポイントから、何分前というように、データ転送開始位置を入力する。
【００４７】
そして、データ転送開始位置の入力待ち時間を計時するためのタイマを設定する（ステップ４２）。
【００４８】
次に、データ転送開始位置の入力が行われたか否かを判別する（ステップ４３）。データ転送開始位置の入力が行われていない場合には、タイマをカウントアップする（ステップ４４）。そして、タイマのカウント値が所定の入力待ち時間に達したか否かを判別する（ステップ４５）。タイマのカウント値が所定の入力待ち時間に達していない場合には、ステップ４３に戻る。
【００４９】
上記ステップ４３において、データ転送開始位置の入力が行われたと判別した場合には、その入力値に基づいてデータ転送開始位置を決定した後（ステップ４６）、ステップ４１で表示したポップアップ画面を消去する（ステップ４８）。そして、データ転送開始位置指定処理を終了する。
【００５０】
上記ステップ４５において、タイマのカウント値が所定の入力待ち時間に達したと判別した場合には、ＲＥＣキーが押された時点での常時録画エリアの記録ポイントをデータ転送開始位置として決定した後（ステップ４７）、ステップ４１で表示したポップアップ画面を消去する（ステップ４８）。そして、データ転送開始位置指定処理を終了する。
【００５１】
【発明の効果】
この発明によれば、常時録画中でかつタイムシフト再生中に通常録画開始指令が入力された場合に、通常録画開始指令が入力された時点でのタイムシフト再生位置から通常録画停止指令が入力されるまでの入力データを単一のファイルで保存できるとともに、上記通常録画開始指令入力後も常時録画および常時録画に対するタイムシフト再生が可能となる。
【００５２】
また、この発明によれば、常時録画中に通常録画開始指令が入力された場合に、ユーザが指定した位置から通常録画停止指令が入力されるまでの入力データを単一のファイルで保存できるとともに、上記通常録画開始指令入力後も常時録画および常時録画に対するタイムシフト再生が可能となる。
【図面の簡単な説明】
【図１】記録再生装置の概略的な構成を示すブロック図である。
【図２】常時録画中でかつタイムシフト再生中に通常録画開始指令が入力されたときの動作を説明するための模式図である。
【図３】第１の実施の形態において、通常録画開始指令が入力されたときの処理手順を示すフローチャートである。
【図４】第２の実施の形態において、通常録画開始指令が入力されたときの処理手順を示すフローチャートである。
【図５】データ転送開始位置指定処理（図４のステップ２６の処理）の詳細な手順を示すフローチャートである。
【符号の説明】
１  アンテナ
２  チューナ
３  外部入力端子
６  ＭＰＥＧエンコーダ
７  ＨＤＤ
８  ＭＰＥＧデコーダ
１０  ＣＰＵ
１１  操作パネル
１２  テレビモニタ
【図１】
2005032298.tif 000003
【図２】
2005032298.tif 000004
【図３】
2005032298.tif 000005
【図４】
2005032298.tif 000006
【図５】
2005032298.tif 000007